(57)【要約】【課題】  空調路部材の吹出口に対して工具を用いてビス等を貫通固定することなく着脱自在に接続するとともに、柔軟性を有するダクト開口部及び空調路部材の吹出口周辺の形状に対して適合させながら装着することが可能な空調ダクトの接続構造を提供する。【解決手段】  空調ダクト１０の接続構造は、ダクト本体１１と、該ダクト本体１１のダクト開口部１２に装着して略筒状体の空調路部材３０の吹出口３１周辺に接続する接続部材２０と、を備えてなり、接続部材２０は、空調路部材３０のバンド巻回部３２に嵌合しうる嵌合部２１と、ダクト開口部１２の内周面に嵌合される被締付部２２と、を一体成形してなり、嵌合部２１は、被締付部２２から櫛歯状に複数延設された薄板片２１ａ、２１ａと、係止爪２１ｂ、２１ｂと、返し片２１ｃ、２１ｃと、を有するものである。【選択図】  図１
0003221607.tif 000002
【実用新案登録請求の範囲】
【請求項１】
ダクト本体と、該ダクト本体のダクト開口部に装着して空調路部材の吹出口周辺に係合する接続部材と、を備えてなり、
前記接続部材は、前記空調路部材のバンド巻回部に嵌合しうる嵌合部と、前記ダクト開口部の内周面に嵌合しうる被締付部と、を一体成形してなり、
前記嵌合部は、前記被締付部から櫛歯状に延設され複数の薄板片からなり、
前記薄板片は、前記薄板片の内周面から前記接続部材の中心方向に突出する係止爪と、前記薄板片の端部から前記接続部材の外側方向に放射状に延出した返し片と、を有することを特徴とする空調ダクトの接続構造。
【請求項２】
薄板片は、複数の薄板部全体で略円筒状となるように、それぞれ湾曲形状とすること特徴とする請求項１記載の空調ダクトの接続構造。
【請求項３】
接続部材の被締付部は、ダクト開口部を連通するように両端が開口された略円筒形状であり、略円筒形状の外周面上において、前記ダクト開口部の内周面に当接する当接面と、該当接面の両端にはダクト内周面の方向に突出した隆起面と、を有することを特徴とする請求項１記載の空調ダクトの接続構造。
【考案の詳細な説明】
【技術分野】
【０００１】
本考案は、空調路部材の吹出口に対して着脱自在に接続するため空調ダクトの接続構造に関する。
【背景技術】
【０００２】
従来の建物内に配設される空調ダクトは、チャンバー等の空調路部材に接続する際にはビス等で貫通固定するものが一般的である。
【０００３】
一方、空調ダクト及び空調路部材にビス等で貫通固定する際に工具を用いる必要があるとともに、その貫通固定したビス周辺から空気漏れ等を引き起こし、空調ダクトの断熱性能及び気密性能が低下するおそれがある。そのため、ビス等を使用しないでチャンバー等の空調部材の吹出口周辺に接続するための接続構造を備えた空調ダクトが提案されている（例えば、特許文献１、２参照）。
【先行技術文献】
【特許文献】
【０００４】
【特許文献１】実開平１０―１９３５２号公報
【特許文献２】特開２０１９―１１９４４号公報
【考案の概要】
【考案が解決しようとする課題】
【０００５】
しかしながら、上述の空調ダクトの接続構造は、基本的に円筒状の吹出口や空調ダクトの開口部に装着するものであって、従来使用されている空調ダクトは、断熱材を被覆したもので、柔軟性を有するため容易に変形しやすく、かつ、吹出口の形状の配置された空調路部材等によって円筒状でない種々の形状を有するものもあるため、空調ダクトや空調路部材からうまく接続することができないおそれがある。
【０００６】
したがって、空調路部材の吹出口に対して工具を用いてビス等を貫通固定することなく着脱自在に接続するとともに、柔軟性を有するダクト開口部及び空調路部材の吹出口周辺の形状に対して適合させながら装着することが可能な空調ダクトの接続構造を提供することを目的とするものである。
【課題を解決するための手段】
【０００７】
本考案は、上記課題に鑑み、ダクト本体と、該ダクト本体のダクト開口部に装着して空調路部材の吹出口周辺に係合する接続部材と、を備えてなり、
前記接続部材は、前記空調路部材のバンド巻回部に嵌合しうる嵌合部と、前記ダクト開口部の内周面に締付けうる被締付部と、を一体成形してなり、
前記嵌合部は、前記被締付部から櫛歯状に延設され複数の薄板片からなり、
前記薄板片は、前記薄板片の内周面から前記接続部材の中心方向に突出する係止爪と、前記薄板片の端部から前記接続部材の外側方向に放射状に延出した返し片と、を有することを特徴とするものである。
【０００８】
また、上述した構成に加え、薄板片は、複数の薄板部全体で略円筒状となるように、それぞれ湾曲形状とすることが好ましい。
【０００９】
また、上述した構成に加え、接続部材の被締付部は、ダクト開口部を連通するように両端が開口された略円筒形状であり、略円筒形状の外周面上において、前記ダクト開口部の内周面に当接する当接面と、該当接面の両端にはダクト内周面の方向に突出した隆起面と、を有することが好ましい。
【考案の効果】
【００１０】
請求項１―３記載の考案によれば、空調路部材に工具を使用してビス等で貫通固定することなく、柔軟性を有するダクト開口部及び空調路部材の吹出口周辺の形状に対して適合させながら装着することができる空調ダクトの接続構造を提供することが可能である。
【図面の簡単な説明】
【００１１】
【図１】本考案の実施形態に係る空調ダクトの接続構造の一例を示す分解斜視図である。
【図２】図１の空調ダクトの接続構造を示す斜視図である。
【図３】図１における接続部材のみを示す斜視図である。
【図４】図１の空調ダクトの接続構造を空調路部材の吹出口周辺に係合させた状態を示す中央横断面図である。
【考案を実施するための形態】
【００１２】
本考案の空調ダクト１０の接続構造の一例について、図１−４に基づいて詳細に説明する。
【００１３】
空調ダクト１０の接続構造は、ダクト本体１１と、該ダクト本体１１のダクト開口部１２に装着して略筒状体の空調路部材３０の吹出口３１周辺に接続する接続部材２０と、を備えてなるものである。
【００１４】
空調ダクト１０のダクト本体１１は、主として建物内等に配設されるチャンバーや空調ダクトを連結するための継手管等の空調路部材３０の吹出口３１周辺に接続されるものであり、グラスウール等の断熱材を被覆した比較的柔軟性を有するものである。
【００１５】
空調路部材３０は、本実施形態ではダクト本体１１同士を継ぐための継手管であり、ダクト開口部１２に挿入した状態でバンドを巻きつけるための凹状に形成されたバンド巻回部３２を有するものである。このバンド巻回部３２は、凹状の底面から垂直方向に立ち上がり、吹出口方向に緩やかに下方に傾斜して形成された段部３２ａを有し、この段部３２ａに対して後述する接続部材２０の係止爪２１ｂ、２１ｂを係止させるものである。また、この空調路部材３０は、バンド巻回部３２の適切な位置で装着するためにダクト開口部１１よりも大きな径を有する環状の鍔部３３を有するものである。
【００１６】
接続部材２０は、空調路部材３０のバンド巻回部３２に嵌合しうる嵌合部２１と、ダクト開口部１２の内周面に締付けうる被締付部２２と、を一体成形してなるものである。なお、この接続部材２０は、ダクト開口部１１に嵌合させた後にバンドを巻き付けて固定した状態でも変形しない程度の強度を有するものであればよく、例えばプラスチック等の硬質の合成樹脂材を主体として射出成形したものが好適である。
【００１７】
嵌合部２１は、被締付部２２から櫛歯状に複数延設された薄板片２１ａ、２１ａからなり、全体が略円筒状となるようにそれぞれ湾曲形状としたものである。この薄板片２１ａ、２１ａは、薄板片２１ａ、２１ａの内周面から接続部材２０の中心方向に突出する断面略直角三角形状の係止爪２１ｂ、２１ｂと、薄板片２１ａ、２１ａの端部から薄板片２１ａ、２１ａの外周面に対して略直角をなして外方向に放射状に延出した返し片２１ｃ、２１ｃと、を有するものである。
【００１８】
なお、本実施形態の嵌合部２１は、少なくとも８つの湾曲した薄板片２１ａ、２１ａを、全体で略円筒形となるように等間隔に配設することで、空調路部材の吹出口の形状は完全な円筒形状でないもの（例えば、成型等により若干変形した楕円形状なったもの）であったとしても、それぞれの薄板片２１ａ、２１ａが弾性変形しながら拡開することで、しっかりと係合することができる。なお、隙間は、薄板片２１ａ、２１ａの幅の３分の１程度の幅とする。また、返し片２１ｃ、２１ｃは、上下左右の４方向に延出することで、略円筒状のダクト開口部周縁１２ａに対して等間隔で当接するものである。
【００１９】
被締付部２２は、両端が開口された略円筒形状であり、略円筒形状の外周面上において、ダクト開口部１２の内周面に当接する当接面２２ａと、該当接面２２ａの両端にはダクト開口部１２の内周面の方向に丸みを帯びて突出した隆起面２２ｂ、２２ｂと、を有するものである。
【００２０】
上述した構成に基づいた接続部材２０をダクト本体１１のダクト開口部１２に装着した後に、空調路部材３０の吹出口３１周辺に接続する方法を図４に基づいて説明する。
【００２１】
接続部材２０をダクト開口部１２に挿入した後に、ダクト開口部１２の周囲にバンド１３を巻き付けることで、接続部材２０の被締付部２２の当接面２２ａに対してダクト開口部１２の内周面を当接させた状態で締付固定するとともに、接続部材２０が空調路部材３０の吹出口３１方向に対する固定位置のずれを防止するための隆起面２２ｂ、２２ｂによって、より一層ダクト開口部１２の内周面と密接に締付固定することが可能である。また、このとき、接続部材２０の嵌合部２１の返し片２１ｃ、２１ｃをダクト開口部周縁１２ａに当接させることで、接続部材２０がダクト本体１１の奥まで入り込むことを防止するとともに、バンド１３の適切な巻き付け位置を決めることが可能である。
【００２２】
また、接続部材２０の嵌合部２１を空調路部材３０の吹出口３１周辺に覆うとともに、嵌合部２１の薄板片２１ａ、２１ａを吹出口３１の形状に合わせて若干拡開しながら挿入した後、嵌合部２１の係止爪２１ｂ、２１ｂをバンド巻回部３２の段部３２ａに対して係止させることで、ビス等をダクト開口部１２及び空調路部材３０に貫通固定することなく、空調ダクト１０と空調路部材３０を着脱自在に接続することが可能である。なお、図示しないが、ダクト開口部１２、接続部材２０、及び、吹出口３１周辺を断熱シート材等で被覆することで、より一層気密性・断熱性を向上させることも可能である。
【符号の説明】
【００２３】
１０…空調ダクト、
１１…ダクト本体、１２…ダクト開口部、１２ａ…ダクト開口部周縁、１３…バンド、
２０…接続部材、
２１…嵌合部、２１a…薄板片、２１ｂ…係止爪、２１ｃ…返し片、
２２…被締付部、２２ａ…当接面、２２ｂ…隆起面、
３０…空調路部材（継手管）、
３１…吹出口、３２…バンド巻回部、３２a…段部、３３…鍔部。
【図１】
0003221607.tif 000003
【図２】
0003221607.tif 000004
【図３】
0003221607.tif 000005
【図４】
0003221607.tif 000006